(57)【要約】　　　（修正有）【課題】管継手の外周をしっかりと把持し、引っかき傷や線状の把持痕をつけたりすることなく所望の方向に無理なく回転させることのできる、管継手用レンチを提供する。【解決手段】Ｌ型管継手の屈曲部外周面をその長さ方向の全体に亘って抱持する二股状に形成された抱持部２と、操作ハンドルを着脱自在に嵌合する嵌合穴６とを備える。操作ハンドルの回転トルクは、抱持部２を介してＬ型管継手の屈曲部表面全体に伝わり、Ｌ型管継手を管路端部に無理なく着脱できる。【選択図】図１
2004050336.tif 000002
【特許請求の範囲】
【請求項１】
管継手の外周面を抱持する二股状に形成された抱持部と、操作ハンドルを着脱自在に嵌合する嵌合穴とを備えて成る、
管継手用レンチ。
【請求項２】
Ｌ型管継手の屈曲部外周面をその長さ方向の全体に亘って抱持する二股状に形成された抱持部と、操作ハンドルを着脱自在に嵌合する嵌合穴とを備えて成る、
管継手用レンチ。
【請求項３】
前記抱持部は、管継手の外周面を抱持する内面が端面略Ｕ字状に形成されている、
請求項１もしくは２記載の管継手用レンチ。
【請求項４】
前記抱持部は、Ｌ型管継手の屈曲部の径と等しいかそれ以上の長さの幅を有する、
請求項２記載の管継手用レンチ。
【請求項５】
前記嵌合穴が、前記抱持部に一体的に連設された頭部に穿設されている、
請求項１もしくは２記載の管継手用レンチ。
【請求項６】
前記嵌合穴は、操作ハンドルの嵌入端を嵌め込み可能な横断面矩形状をした穴である、
請求項１もしくは２記載の管継手用レンチ。
【請求項７】
前記抱持部は、その内面に滑止め部材が設けられている、
請求項１もしくは２記載の管継手用レンチ。
【請求項８】
前記滑止め部材は、摩擦係数の高いシート材である、
請求項７記載の管継手用レンチ。
【請求項９】
前記滑止め部材は、抱持部内面に形成された凹凸である、
請求項７記載の管継手用レンチ。
【発明の詳細な説明】
【０００１】
【発明の属する技術分野】
本発明は、主としてエルボやベンドのようなＬ型に屈曲された管継手の取付け及び取外しに用いられる、レンチに関するものである。
【０００２】
【従来技術】
２本の管路を直交接続するのに用いられるエルボやベンドは、通常、Ｌ型に屈曲された本体部の一端を一方の管路端部にねじ込んで固定した後、位置決めされた他端に他方の管路端部を螺入し、当該他端に予め装着されたナットを締めつけて、両管路を接続する。
【０００３】
こうしたＬ型をした管継手に対しては、現在のところ、取付けや取外し用の適切な工具がない。このため、雄ネジの形成された管継手の一端を上記一方の管路端部に固締めしたりあるいは管路端部から緩める際に、例えば、口幅の大きなスパナやレンチなどを用いて回動するようにしている。
【０００４】
【発明が解決しようとする課題】
しかし、こうした異なる用途向けの工具を用いた場合、管継手表面が湾曲していいてスパナ等の平坦な口部では管継手の胴部をしっかりと把持できないために、滑ってしまい回動するのが難しい。また、こうした工具の口部を無理をしてきつく締めると、エルボの胴部にひっかき傷や線状の把持痕がついたりする。
【０００５】
本発明の目的は、管継手の外周をしっかりと把持し、引っかき傷や線状の把持痕をつけたりすることなく所望の方向に無理なく回転させることのできる、管継手用レンチを提供することにある。
【０００６】
【課題を達成するための手段】
本発明は上記した目的を達成するために次の構成を備える。
すなわち、このスパナは、管継手の外周面を抱持する二股状に形成された抱持部と、操作ハンドルを着脱自在に嵌合する嵌合穴とを備えて成る、点に特徴がある。
使用の対象となる管継手は、必ずしもエルボなどのＬ型管継手に限定されるものではない。
【０００７】
Ｌ型管継手用のスパナの場合、本スパナは、抱持部がＬ型管継手の屈曲部外周面をその長さ方向の全体に亘って抱持する二股状に形成される。また、この場合、抱持部は、Ｌ型管継手の屈曲部の径と等しいかそれ以上の幅を有するように形成すると良い。これにより、本スパナの抱持部は、Ｌ型管継手の屈曲部をその長さ方向及び径方向の全体において抱持する。
【０００８】
抱持部は、その内面が管継手の外周面を抱持するに必要な端面形状に形成され、一般的には内面が端面略Ｕ字状に形成される。本スパナは、管継手の各種径に応じた開口幅を持つ。
【０００９】
嵌合穴は、抱持部に頭部を一体的に連設し、この頭部に穿設するのが望ましい。
嵌合穴の形状は、操作ハンドルの嵌入端を着脱自在に嵌め込み可能な横断面形状に形成される。汎用的な操作ハンドルの嵌入端の形状に合わせて形成すると良い。
【００１０】
レンチ本体の抱持部には、その内面に滑止め部材を設けるようにするのが良い。
滑止め部材としては、例えば摩擦係数の高いシート材や、抱持部内面に形成された粗面や凹凸などが適用される。
【００１１】
【実施の最良の形態】
以下、本発明を図示した実施例に基づいて詳説する。
図１は、本発明の一実施例に係るＬ型管継手用レンチの外観斜視図である。
【００１２】
図中符号１は本レンチで、所定径のＬ型管継手（エルボ）１０の屈曲部外周面１２を抱持するための抱持部２と、この抱持部２の上部に一体的に連設された円筒状の頭部５とから構成されている。
【００１３】
抱持部２は、対向する２枚の抱持片３，３と、抱持片３の内面基端を連結する湾曲内面部４とを有している。抱持片間の間隔及び湾曲内面部の曲率は、このレンチ１が使用されるＬ型管継手１０の屈曲部外周面に一致するように形成される。
また、抱持部３は、図３に見られるように、Ｌ型管継手１０の屈曲部１２の外周面全体を上方からすっぽりと覆う幅と長さに形成されている。
【００１４】
頭部５には、抱持部２の湾曲面部中心に向けて嵌合穴６が穿設されている。
嵌合穴６は、本レンチ１を回動操作するためのハンドルの端部７を着脱自在に嵌入するためのもので、ハンドル端部７に対応する断面形状もしくは径に形成される。本実施例の嵌合穴６は、矩形の断面形状に形成されている。
【００１５】
図２から図４は上記実施例に係るレンチ１の使用状態を示す正面図と側面図及び断面図である。
本レンチ１は、Ｌ型管継手１０の湾曲部１２に上方から二股状の抱持部２を被せるようにして取付けると、図２から図４に見られるように、その抱持片３の内面と湾曲内面部４とがＬ型管継手１０の湾曲部１２の全体をしっかりと抱持する。抱持部２は、Ｌ型管継手１０の１２屈曲部の外周面全体を上方からすっぽりと覆う幅と長さに形成されているので、ぐらつくことはない。
【００１６】
したがって、Ｌ型管継手１０の図中左端１１のみが図示しない水平管路に螺着されているとして、本レンチ１の頭部５の嵌合穴６に操作ハンドルの端部７を嵌合し、図２中反時計方向に回動すると、そのトルクが抱持部２を介してＬ型管継手１０の屈曲部表面、特に図中立下った屈曲部分に伝わり、Ｌ型管継手１０の左端１１を水平管路の端部から無理なく緩めることができる。
抱持部２は、抱持片３の内面と湾曲内面部４とがＬ型管継手１０の屈曲部１２に面状に当たっており、しかも屈曲部外表面をずれることもないので、Ｌ型管継手１０の表面を損傷することもない。
【００１７】
Ｌ型管継手１０を上記水平管路に螺着する場合にも、ハンドルの回動操作を逆方向に行うことにより、同様の手順で確実に固締めできる。
【００１８】
Ｌ型管継手以外に例えばＴ型管継手に対しても、本発明に係るレンチは有効に使用できる。この場合には、本レンチは、Ｔ型管継手の中央の三叉交差部に跨がるようにして上方から取付けられる。使用手順は、図示したＬ型管継手の実施例と同様である。
【００１９】
図示しないが、抱持部には、その内面にゴム製シートを添着することもできる。ゴム性シートは、摩擦係数と緩衝性に富むので、回動時の管継手外周面への滑止めと表面保護の両機能を兼ねる。
また、こうした摩擦係数と緩衝性に富むシート材は、その厚みを適宜設定することにより、管継手の径と抱持部の間隔との差をなくすことができるので、ある程度径の違う複数種類の管継手に対して単一のレンチによって対応可能となる。なお、単に滑止めの機能だけを考慮した場合には、抱持部内面を、管継手表面を傷つけるおそれの少ない凹凸や粗面に形成することも可能である。
【００２０】
【発明の効果】
本発明は、次の効果を奏する。
管継手の外周面を抱持する二股状に形成された抱持部と、操作ハンドルを着脱自在に嵌合する嵌合穴とを備えるので、管継手の所定個所に抱持部を抱持させて取り付け、操作ハンドルを嵌合穴に嵌合するだけで、管継手の外周をしっかりと把持した状態で、把持痕をつけたりすることなく管継手を所望の回転方向に回転させるができる。
【図面の簡単な説明】
【図１】本発明の一実施例に係るレンチの外観斜視図。
【図２】図１のレンチの使用状態を示す正面図。
【図３】図１のレンチの使用状態を示す側面図。
【図４】図３の断面図。
【符号の説明】
１　　　　　　レンチ
２　　　　　　抱持部
３　　　　　　抱持片
４　　　　　　湾曲内面部
５　　　　　　頭部
６　　　　　　嵌合穴
７　　　　　　操作ハンドルの端部
１０　　　　　Ｌ型管継手
１２　　　　　屈曲部
【図１】
2004050336.tif 000003
【図２】
2004050336.tif 000004
【図３】
2004050336.tif 000005
【図４】
2004050336.tif 000006